(57)【要約】【課題】本発明は、断熱材とコンクリートとの間に通気層を設けることにより、内、外壁の打ち込み型枠によるコンクリート壁面の構築を可能とするコンクリート建物外壁構造体の構築方法および構築用型枠を提供することを目的とするものである。【解決手段】本発明は、構築用型枠１は、室内側の構築用型枠パネル２と、室外側の構築用型枠パネル２と、これらの構築用型枠パネル２を一定間隔に保持するセパレーター３とから構成され、更に室外側の構築用型枠パネル２の内側面に対して空隙を開けて網目状部５を設けた構成とする。【選択図】　　　　図１
2004036333.tif 000002
【特許請求の範囲】
【請求項１】
間隔を設けて構築用型枠を組立て、該構築用型枠内にコンクリートを打設し、構築用型枠とコンクリートを一体化するコンクリート建物外壁構造体の構築方法において、
構築用型枠の少なくとも一方側の構築用型枠パネルの内側面に対して空隙を開けて網目状部を設ける工程と、
該構築用型枠内にコンクリートを打設することにより構築用型枠パネル内側面とコンクリートとの間に通気部を形成する工程とを備える
ことを特徴とするコンクリート建物外壁構造体の構築方法。
【請求項２】
前記構築用型枠パネルが断熱材で形成されることを
特徴とする請求項１記載のコンクリート建物外壁構造体の構築方法。
【請求項３】
前記断熱材が発泡合成樹脂材によって形成されることを
特徴とする請求項２記載のコンクリート建物外壁構造体の構築方法。
【請求項４】
前記構築用型枠パネルが発泡合成樹脂材と外装板との二層構造であることを
特徴とする請求項１記載のコンクリート建物外壁構造体の構築方法。
【請求項５】
間隔を設けて組立てられる構築用型枠内にコンクリートを打設し、構築用型枠とコンクリートを一体化するコンクリート建物外壁構造体の構築用型枠において、
断熱材により形成される構築用型枠パネル本体と、
該構築用型枠パネル本体の一側面に対し、空隙を設けて形成される網目状部とを備える、
ことを特徴とする構築用型枠パネル。
【請求項６】
前記断熱材が発泡合成樹脂材によって形成されることを
特徴とする請求項５記載の構築用型枠パネル。
【請求項７】
間隔を設けて組立てられる構築用型枠内にコンクリートを打設し、構築用型枠とコンクリートを一体化するコンクリート建物外壁構造体の構築用型枠において、
断熱材と外装板との二層構造より形成される構築用型枠パネル本体と、
該構築用型枠パネル本体の断熱材面に対し、空隙を設けて形成される網目状部とを備える、
ことを特徴とする構築用型枠パネル。
【請求項８】
前記断熱材が発泡合成樹脂材によって形成されることを
特徴とする請求項７記載の構築用型枠パネル。
【発明の詳細な説明】
【０００１】
【発明の属する技術分野】
本発明はコンクリート建物外壁構造体の構築方法および構築用型枠に関する。詳しくは通気性を備えたコンクリート建物外壁構造体の構築方法および構築用型枠に係るものである。
【０００２】
【従来の技術】
マンション、事務所、住宅などの躯体となるコンクリート建物外壁は、図１１に示すように木製、あるいは金属性からなる型枠１０１内にコンクリート１０２を打ち込む。
【０００３】
そして図１２に示すように、養生した後に型枠１０１を取り外し、コンクリート建物外壁１０３を構築するものであり、このコンクリート建物外壁１０３内には水分が残っているために、外気に晒して水分を蒸発させた後に、その室内、外壁面に断熱材１０４を設け、更にその表面に内外装材１０５を貼って構築されている。
【０００４】
このコンクリート建物外壁の構築工法では、型枠の取り外しに非常に手間が掛かるという問題があり、更に室内側におけるコンクリート壁面と断熱材との間で結露やカビが発生し易くなり、そのために断熱材が剥がれたり、あるいは染みが付くなどの問題がある。
【０００５】
そこで、最近では結露やカビなどの発生しにくい断熱工法として、発泡スチロールと補助型枠を一体化した型枠兼保温のブロック積み上げのコンクリート打設工法、あるいは断熱用発泡材を型枠材兼用にして同時打ち込みをする工法や断熱材を組み合わせコンクリート型枠とするような方法が普及している。
【０００６】
【発明が解決しようとする課題】
しかしながら型枠兼断熱材による同時打ち込みによるコンクリート建物外壁の構築工法では、その殆どが内、外壁のいずれかの壁面を従来工法である型枠によって組立て、コンクリートを打設し、養生した後に型枠を外してコンクリート建物外壁内の水分を蒸発させた後に、断熱材を設け、その表面に内外装材を貼って構築しているのが現状である。
従って内、外壁のいずれかの壁面に、断熱材および内外装材を施工する手間が掛かり、更にコンクリート建物外壁内の水分を蒸発させる時間が必要となり、結果的には従来工法である型枠によって組立てる工法と同様な問題が生じることがある。
【０００７】
また、コンクリート壁面の内、外壁に型枠兼断熱材による同時打ち込みによるコンクリート建物外壁の構築を行った場合には、コンクリート内の水分が蒸発せず、充分なコンクリート強度を得ることが困難となり、コンクリート内の湿気によってコンクリート壁面と断熱材との間で結露やカビが発生し易くなる問題がある。
【０００８】
本発明は、以上の点に鑑みて創案されたものであって、断熱材とコンクリートとの間に通気層を設けることにより、内、外壁の打ち込み型枠によるコンクリート壁面の構築を可能とするコンクリート建物外壁構造体の構築方法および構築用型枠を提供することを目的とするものである。
【０００９】
【課題を解決するための手段】
上記の目的を達成するために、本発明に係るコンクリート建物外壁構造体の構築方法は、間隔を設けて構築用型枠を組立て、該構築用型枠内にコンクリートを打設し、構築用型枠とコンクリートを一体化するコンクリート建物外壁構造体の構築方法において、構築用型枠の少なくとも一方側の構築用型枠パネルの内側面に対して空隙を開けて網目状板部を設ける工程と、該構築用型枠内にコンクリートを打設することにより構築用型枠パネル内側面とコンクリートとの間に通気部を形成する工程とを備える。
【００１０】
ここで、構築用型枠パネルの内側面に対して空隙を開けて網目状部を設けることによって、構築用型枠内にコンクリートを打設した際にコンクリートが網目状部に食込んだ状態で固化し、その結果構築用型枠パネルとの間に通気部が形成されることとなる。
【００１１】
従ってコンクリート内の水分は通気部を通じて蒸発されることとなり、更に構築用型枠パネルとの間に空隙部が形成されることにより断熱効果が得られることとなる。
【００１２】
上記の目的を達成するために、本発明に係る構築用型枠パネルは、間隔を設けて組立てられる構築用型枠内にコンクリートを打設し、構築用型枠とコンクリートを一体化するコンクリート建物外壁構造体の構築用型枠において、断熱材により形成される構築用型枠パネル本体と、該構築用型枠パネル本体の一側面に対し、空隙を設けて形成される網目状部とを備える。
【００１３】
ここで、断熱材により形成される構築用型枠パネル本体の一側面に対して空隙を設けて網目状部を形成することにより、コンクリートを打設した際にコンクリートが網目状部に食込んだ状態で固化し、その結果構築用型枠パネルとの間に通気部が形成されると共に、構築用型枠パネル本体とコンクリートとの結合が網目状部によって可能となる。
【００１４】
また、上記の目的を達成するために、本発明に係る構築用型枠パネルは、間隔を設けて組立てられる構築用型枠内にコンクリートを打設し、構築用型枠とコンクリートを一体化するコンクリート建物外壁構造体の構築用型枠において、断熱材と外装板との二層構造より形成される構築用型枠パネル本体と、該構築用型枠パネル本体の断熱材面に対し、空隙を設けて形成される網目状部とを備える。
【００１５】
ここで、断熱材と外装板との二層構造より形成される構築用型枠パネル本体の断熱材面に対して空隙を設けて網目状部を形成することにより、コンクリートを打設した際にコンクリートが網目状部に食込んだ状態で固化し、その結果構築用型枠パネルとの間に通気部が形成されると共に、構築用型枠パネル本体とコンクリートとの結合が網目状部によって可能となる。
【００１６】
更に、断熱材と一体とし積層される外装材によってコンクリート建物外壁構造体の外壁面に外装材を貼る作業工程が省略され、かつ断熱材と外装材との間での結露の発生を未然に防止できることになる。
【００１７】
【発明の実施の形態】
以下、本発明の実施の形態を図面を参酌しながら説明し、本発明の理解に供する。
図１〜図３に、それぞれ本発明を適用したコンクリート建物外壁構造体の構築方法の一例を説明するための断面説明図を示す。
【００１８】
ここで示す構築用型枠１は、室内側の構築用型枠パネル２と、室外側の構築用型枠パネル２と、これらの構築用型枠パネル２を一定間隔に保持するセパレーター３とから構成されている。
【００１９】
ここで、構築用型枠パネル２は発泡スチロールなどの軽量、かつ耐圧強度の大きい発泡合成樹脂材より成る断熱材４によって形成するものである。
【００２０】
そして室外側の構築用型枠パネル２の内側面に対して空隙を開けて網目状部５を設けた構成とするものであり、この網目状部５は内側面に対して一定間隔ごとに配置されるスペーサー６によって空隙Ａを設けた状態で積層されるものである。更に網目状部５の孔径は構築用型枠１内に打設されるコンクリートが食込んだ状態で流入が阻止される程度の大きさの孔径とする。
【００２１】
そこで構築用型枠１内に鉄筋を組み上げたうえで、コンクリート７を打設することにより、室外側の構築用型枠パネル２の内側面に設けられる網目状部５に対して、コンクリート７は食込んだ状態で固化されることとなり、構築用型枠パネル２の内側面と網目状部５と間に通気部８が形成されることとなる。
【００２２】
この通気部８によってコンクリート７内の水分が網目状部５より通気部８を通して外気へ蒸発されることとなり、コンクリート７の固化が促進される。
【００２３】
次に、構築用型枠パネル２とコンクリート７とが一体化した状態でのコンクリート建物外壁構造体９の室内側壁面および室外側壁面に対して外装板１０を貼って構築するものである。
【００２４】
ここで、網目状部が設けられる構築用型枠パネルは必ずしも室外側に配置する必要性は無く、室内側、あるいは両側に配置しても良いが、通気性および強度性を考慮した場合には室外側のみに配置することが望ましい。
【００２５】
また、断熱材は必ずしも発泡スチロールなどの発泡合成樹脂材により形成される必要性は無く、断熱性を有する石膏ボードや合成樹脂板などいかなるものであっても良いが、断熱性・加工性および軽量かつ耐圧性に優れた発泡スチロールなどの発泡合成樹脂材により形成される方が好ましい。
【００２６】
更に、室外側の構築用型枠パネルに対して外装材を設ける場合には、必ずしも直貼りをする必要性はなく、図４に示すように構築用型枠パネル２に対して胴縁１１を介して空隙を設けた状態で装着することもできる。
【００２７】
図５および図６に、それぞれ本発明を適用したコンクリート建物外壁構造体の構築方法の他の例を説明するための断面説明図を示す。
【００２８】
ここで示す構築用型枠パネル２は、発泡スチロールなどの軽量、かつ耐圧強度の大きい発泡合成樹脂材より成る断熱材４と、石綿板などからなる外装板１０との二層構造によって形成され、更に室外側の構築用型枠パネル２の内側面、即ち断熱材４面に対して空隙を開けて網目状部５を設けた構成とするものであり、この網目状部５は内側面に対して一定間隔ごとに配置されるスペーサー６によって空隙Ａを設けた状態で積層されるものである。更に網目状部５の孔径は構築用型枠１内に打設されるコンクリートが食込んだ状態で流入が阻止される程度の大きさの孔径とする。
【００２９】
そこで構築用型枠１内に鉄筋を組み上げたうえで、コンクリート７を打設することにより、室外側の構築用型枠パネル２の内側面に設けられる網目状部５に対して、コンクリート７は食込んだ状態で固化されることとなり、構築用型枠パネル２の内側面と網目状部５と間に通気部８が形成されることとなる。
【００３０】
ここで、外装板と発泡スチロールなど発泡合成樹脂材より成る断熱材とを一体的に積層した構成とすることにより、曲げ応力に難点がある発泡合成樹脂材の補強としての効果を得ることができ、その結果構築用型枠パネルの厚さを、発泡合成樹脂材より成る断熱材のみに比べて薄くすることが可能となる。
【００３１】
更に、構築用型枠１内に鉄筋を組み上げたうえで、コンクリート７を打設することにより、室外側の構築用型枠パネル２の内側面に設けられる網目状部５に対して、コンクリート７は食込んだ状態で固化されることとなり、構築用型枠パネル２の内側面と網目状部５と間に通気部８が形成されることとなる。
【００３２】
従って、この通気部８によってコンクリート７内の水分が網目状部５より通気部８を通して外気へ蒸発されることとなり、コンクリート７の固化が促進される。
そして外装板および断熱材並びにコンクリートとが一体化したコンクリート建物外壁構造体９が構築されることとなる。
【００３３】
次に図７および図８は本発明を適用した構築用型枠パネルの一例を示す側面図および平面図である。
ここで示す構築用型枠パネル２は、発泡スチロールなどの軽量、かつ耐圧強度の大きい発泡合成樹脂材より成る断熱材４面に対して空隙を開けて網目状部５を設けた構成とするものである。
【００３４】
ここで網目状部５は塩化ビニールやプラスチックなどの合成樹脂材により形成され、更に無数の孔１２が貫設されるものである。
そして網目状部５面に対して一定間隔ごとにスペーサー６が一体的に突設される。
【００３５】
従って網目状部５を断熱材４面に取り付けることにより、網目状部５と断熱材４面との間に空隙Ａが形成されることとなる。
【００３６】
次に図９は本発明を適用した構築用型枠パネルの他の例を示す側面図および平面図である。
ここで示す構築用型枠パネル２は、発泡スチロールなどの軽量、かつ耐圧強度の大きい発泡合成樹脂材より成る断熱材４面の外側面に対して外装板１０を貼着し、更に断熱材４面の内側面に対して空隙を開けて網目状部５を設けた構成とするものである。
【００３７】
ここで外装板としては、例えば石綿板やケイカル板など硬質、かつ断熱性に優れた材質を用いることが望ましい。
また、網目状部５は本発明を適用した構築用型枠パネルの一例で詳述したように、塩化ビニールやプラスチックなどの合成樹脂材により形成され、更に無数の孔１２が貫設され、更に網目状部５面に対して一定間隔ごとにスペーサー６が一体的に突設される。
【００３８】
従って網目状部５を断熱材４面に取付けることにより、網目状部５と断熱材４面との間に空隙Ａが形成されることとなる。
【００３９】
ここで、本発明に係る網目状部は必ずしも塩化ビニールやプラスチックなどの合成樹脂材により形成される必要性は無く、コンクリートの圧力に対抗でき、かつ錆びなどによって不蝕し難い材質であれば良い。
【００４０】
また、断熱材面との間に空隙を設ける手段として、必ずしもスペーサーを設ける必要性は無く、例えば図１０に示すように、断熱材４面を凹凸形状に形成し、平板状の網目状部５を取付けることにより、断熱材４と網目状部５との間に空隙Ａを形成した構成とすることもできる。
【００４１】
【発明の効果】
以上述べて来た如く本発明によれば、構築用型枠パネルとコンクリートとの間に通気部を形成することにより、コンクリート内の水分を通気部を通して外気に放出することで、コンクリート内の湿気を取り除くことが可能となる。
【００４２】
また、打ち込まれるコンクリートが網目部に食込むことによって、構築用型枠パネルとの一体化が可能となり、外装板との組み合わせにより作業効率が一段と向上するものである。
【図面の簡単な説明】
【図１】本発明を適用したコンクリート建物外壁構造体の構築方法の一例において構築用型枠パネルの組立て状態を説明するための断面説明図を示す。
【図２】図１における構築用型枠パネル内にコンクリートを打設した状態を示す断面説明図である。
【図３】図２における構築用型枠パネル内にコンクリートを打設した後に、外装板を取り付けた状態を示す断面説明図である。
【図４】外装板の他の取付け例を示す説明図である。
【図５】本発明を適用したコンクリート建物外壁構造体の構築方法の他の例において構築用型枠パネルの組立て状態を説明するための断面説明図を示す。
【図６】図５における構築用型枠パネル内にコンクリートを打設した後に、外装板を取り付けた状態を示す断面説明図である。
【図７】本発明を適用した構築用型枠パネルの一例を示す側面図を示す。
【図８】本発明を適用した構築用型枠パネルの一例を示す平面図を示す。
【図９】本発明を適用した構築用型枠パネルの他の例を示す側面図を示す。
【図１０】本発明に係る断熱材と網目状部との間の空隙の他の形成方法を示す説明図である。
【図１１】従来のコンクリート建物外壁構造体の構築方法の一例を示す説明図である。
【図１２】図１１におけるコンクリート建物外壁構造体の仕上げ状態を示す説明図である。
【符号の説明】
１　　　構築用型枠
２　　　構築用型枠パネル
３　　　セパレーター
４　　　断熱材
５　　　網目状部
６　　　スペーサー
７　　　コンクリート
８　　　通気部
９　　　コンクリート構造体
１０　　外装板
１１　　胴縁
【図１】
2004036333.tif 000003
【図２】
2004036333.tif 000004
【図３】
2004036333.tif 000005
【図４】
2004036333.tif 000006
【図５】
2004036333.tif 000007
【図６】
2004036333.tif 000008
【図７】
2004036333.tif 000009
【図８】
2004036333.tif 000010
【図９】
2004036333.tif 000011
【図１０】
2004036333.tif 000012
【図１１】
2004036333.tif 000013
【図１２】
2004036333.tif 000014